(57)【要約】【課題】手動で操作子をオン操作して利用対象機器を稼動させた後、稼動停止に伴って手動で操作子をオフ操作しても機器におけるデータ処理が完結するまで電源オン状態を保ち、データ処理が完結した後に自動的に電源オフする信頼性の高いスイッチ及び電子機器を提供することを目的とする。【解決手段】操作子１２０の内方に、オフ操作されるとき該操作子１２０から操作力を受けない回動操作体１３０を備え、前記回動操作体１３０に電源スイッチ機構１４０をオンさせるスイッチ操作部１３２，１３３と、復帰バネ１６０を反付勢方向に付勢させる復帰バネ規制片１３４とを備え、前記復帰バネ規制片１３４により規制された前記復帰バネ１６０の規制状態を保持して、前記電源スイッチ機構１４０のオン状態を永久磁石１７３で保持し、電源リセット時に前記永久磁石１７３に対する解除力を与えて前記電源スイッチ機構１４０のオン状態を解除させるスイッチを構成する。【選択図】図６
2012028285.tif 000002
【特許請求の範囲】
【請求項１】
ハウジングに支持されて一方と他方に操作される操作子と、
前記操作子がオフ操作される他方の操作方向に前記操作子を付勢する復帰バネと、
前記ハウジング内で対向する可動片と固定端子との接点部を接離させて電源をオンオフさせる電源スイッチ機構と、
を備えたスイッチであって、
前記操作子が一方にオン操作されるとき該操作子から操作力を受ける一方、他方にオフ操作されるとき該操作子から操作力を受けない状態保持部材を備え、
前記状態保持部材は、
前記操作子が一方にオン操作されるときの操作力を受けて該状態保持部材が前記復帰バネの反付勢方向へと操作されることに連動して前記電源スイッチ機構をオンさせるスイッチ操作部と、
前記電源スイッチ機構をオンさせることに伴い前記復帰バネを反付勢方向に規制する復帰バネ規制部とを備え、
前記復帰バネ規制部により規制された前記復帰バネの規制状態を保持して、前記電源スイッチ機構のオン状態を保持する保持手段を備え、
電源リセット時に前記保持手段による前記電源スイッチ機構のオン状態を解除させる解除手段を備えた
スイッチ。
【請求項２】
前記状態保持部材を前記操作子の内側に回動自由に取り付け、
前記電源スイッチ機構は、
前記状態保持部材に弾性体を介して連結された前記可動片と、
前記可動片と対向して配置される前記固定端子とを備え、
前記弾性体は前記状態保持部材の回動に連動してオン方向とオフ方向とに弾性変位し、該弾性体の弾性変位に基づいて前記可動片をこれに対向する前記固定端子に接離させる構成とした
請求項１記載のスイッチ。
【請求項３】
前記操作子に内部操作片を形成し、
前記状態保持部材を、前記内部操作片を介して前記操作子が一方にオン操作されるとき該操作子から操作力を受けてスライドする一方、他方にオフ操作されるとき該操作子から操作力を受けないスライダで構成した
請求項１記載のスイッチ。
【請求項４】
前記操作子が操作される動きに連動する信号可動片を有し、該信号可動片と信号固定端子との接点部を接離させて信号をオンオフさせる信号スイッチ機構を備えた
請求項１、２または３に記載のスイッチ。
【請求項５】
請求項１〜４のいずれか１項に記載のスイッチを備えた電子機器。
【発明の詳細な説明】
【技術分野】
【０００１】
この発明は、例えば複写機、パーソナルコンピュータ等の制御部を備えた電子機器が利用停止されるときに処理データを確実にハードディスクに記憶させてデータ処理を完結してから電源をオフさせるリセット機能を備えたスイッチ及び電子機器に関する。
【背景技術】
【０００２】
一般に、データ保護性能を持たせるスイッチとして、例えばシーソー状に操作される操作子を利用者が手動で操作することにより、そのスイッチの内部で接離可能に内蔵されている接点部を接触させてスイッチの電源をオンしている。その後、制御部からのリセット信号によって自動的に操作子が反転して電源オフ状態に切り替わるようにしたリセット機構付きスイッチが提案されている（例えば特許文献１参照）。
【０００３】
しかし、この種のリセット機構付きスイッチは利用者が手動で操作子をオフ操作してスイッチの接点部を離間させて電源オフにした場合、接点部は即時に電源オフしてしまうことになる。このため、ハードディスクへのデータ書き込み中に、利用者が操作子をオフ操作すると、格納すべきデータを保護できないまま電源オフとなり、データが書き込めなかったり、ハードディスク本体が破損したりする異常が発生することがある。
【先行技術文献】
【特許文献】
【０００４】
【特許文献１】特許第３９０７７５９号
【発明の概要】
【発明が解決しようとする課題】
【０００５】
このような課題を解決するため、この発明は手動で操作子をオン操作して利用対象機器を稼動させた後、稼動停止に伴って手動で操作子をオフ操作しても機器におけるデータ処理が完結するまで電源オン状態を保ち、データ処理が完結した後に自動的に電源オフする信頼性の高いスイッチ及び電子機器を提供することを目的とする。
【課題を解決するための手段】
【０００６】
この発明は、ハウジングに支持されて一方と他方に操作される操作子と、前記操作子がオフ操作される他方の操作方向に前記操作子を付勢する復帰バネと、前記ハウジング内で対向する可動片と固定端子との接点部を接離させて電源をオンオフさせる電源スイッチ機構とを備えたスイッチであって、前記操作子が一方にオン操作されるとき該操作子から操作力を受ける一方、他方にオフ操作されるとき該操作子から操作力を受けない状態保持部材を備え、前記状態保持部材は、前記操作子が一方にオン操作されるときの操作力を受けて該状態保持部材が前記復帰バネの反付勢方向へと操作されることに連動して前記電源スイッチ機構をオンさせるスイッチ操作部と、前記電源スイッチ機構をオンさせることに伴い前記復帰バネを反付勢方向に規制する復帰バネ規制部とを備え、前記復帰バネ規制部により規制された前記復帰バネの規制状態を保持して、前記電源スイッチ機構のオン状態を保持する保持手段を備え、電源リセット時に前記保持手段による前記電源スイッチ機構のオン状態を解除させる解除手段を備えたスイッチであることを特徴とする。
【０００７】
この発明によれば、操作子をオン操作すると、電源スイッチ機構はオンされる。その後、電源をオフ操作しても該電源スイッチ機構は電源リセットの信号が入力されるまではオン状態を保つため瞬時にオフしない。つまり、利用対象の電子機器が利用停止されるときの処理データを確実にハードディスクに記憶させてデータ処理を完結した後、電源を自動的にオフするためデータの保存が確実となり信頼性の高いデータ管理ができる。
【０００８】
ことに、操作子を一度オフ操作した後は、オフ方向に付勢する復帰バネの付勢力を規制して操作子に復帰バネの付勢力が掛からなくなるため、操作子は単体で自由に回動可能となり、空回りする。このため、その後に再度、操作子をオンオフ操作しても、その再オンオフ操作力は空回りして操作子からの操作力は電源スイッチ機構の接点部に伝達されない。したがって、操作子を最初にオフ操作した後は、操作子をその後に不用意に再度オンオフ操作しても、何ら支障はなく、データ管理の優れた利用が図れる。
【０００９】
この発明の態様として、前記状態保持部材を前記操作子の内側に回動自由に取り付け、前記電源スイッチ機構は、前記状態保持部材に弾性体を介して連結された前記可動片と、前記可動片と対向して配置される前記固定端子とを備え、前記弾性体は前記状態保持部材の回動に連動してオン方向とオフ方向とに弾性変位し、該弾性体の弾性変位に基づいて前記可動片をこれに対向する前記固定端子に接離させる構成としたことを特徴とする。
【００１０】
この発明によると、前記弾性体は軸方向だけでなく、その交差方向に対しても柔軟な屈曲性を有する例えばコイルスプリングを用いることができる。この弾性体を介して状態保持部材の回動力を可動片に伝達させる構成であり、特にこの弾性体は繰り返し屈曲反転してオンオフさせるのに適した弾性変形を容易に実現させることができることから耐久性に富み、安定したスイッチ機構を確保することができる。
【００１１】
またこの発明の態様として、前記操作子に内部操作片を形成し、前記状態保持部材を、前記内部操作片を介して前記操作子が一方にオン操作されるとき該操作子から操作力を受けてスライドする一方、他方にオフ操作されるとき該操作子から操作力を受けないスライダで構成したことを特徴とする。
【００１２】
この発明によると、操作子からの操作力を直線的に進退するスライダを用いることによってスイッチ部品のコンパクトな配置構成が可能になり、ハウジング内にスイッチ部品を効率よく集中させて内蔵することができる。このため、スイッチの小型化を図ることができる。
【００１３】
またこの発明の態様として、前記操作子が操作される動きに連動する信号可動片を有し、該信号可動片と信号固定端子との接点部を接離させて信号をオンオフさせる信号スイッチ機構を備えて構成することができる。
【００１４】
この発明によると、利用対象機器の制御部は信号スイッチ機構の立ち上り信号によって電源オフ時の処理データをハードディスクに記憶する処理を開始し、終了すると電源リセット機構に信号を与えて電源スイッチ機構をオフにするので機器におけるデータ処理が完結するまで電源オン状態を保ち、データ処理が完結した後に自動的に電源オフする信頼性の高いスイッチが得られる。
【００１５】
このように構成されたスイッチは、データ保護機能の優れたスイッチとして例えば、複写機、パーソナルコンピュータ等のハードディスクを備えた各種の電子機器に広く適用することができる。
【発明の効果】
【００１６】
この発明によれば、手動で操作子をオン操作して利用対象機器を稼動させた後、稼動停止に伴って手動で操作子をオフ操作しても機器におけるデータ処理が完結するまで電源オン状態を保ち、データ処理が完結した後に自動的に電源オフする信頼性の高いスイッチ及び電子機器を提供することができる。
【図面の簡単な説明】
【００１７】
【図１】実施例１のスイッチの外観斜視図。
【図２】実施例１のスイッチを斜め上方から見た分解斜視図。
【図３】実施例１のスイッチを斜め下方から見た分解斜視図。
【図４】実施例１の電源スイッチ機構を示す要部斜視図。
【図５】実施例１の信号スイッチ機構を示す要部斜視図。
【図６】実施例１のオンオフ動作状態を示す縦断面図。
【図７】実施例１の電子機器におけるデータ処理状態を示す制御ブロック図。
【図８】実施例１のオンオフ動作状態を示すタイムチャート。
【図９】実施例２のスイッチの外観斜視図。
【図１０】実施例２のスイッチを斜め前方から見た分解斜視図。
【図１１】実施例２のスイッチを斜め後方から見た分解斜視図。
【図１２】実施例２の電源スイッチ機構を示す要部斜視図。
【図１３】実施例２の信号スイッチ機構を示す要部斜視図。
【図１４】実施例２のソレノイドを斜め下方から見た要部斜視図。
【図１５】実施例２のオンオフ動作状態を示す縦断面図。
【発明を実施するための形態】
【００１８】
この発明の一実施例を以下図面に基づいて説明する。
【実施例１】
【００１９】
図面はリセット機能を備えたスイッチを示し、図１（Ａ）は一側から見たスイッチ１００の外観斜視図を示し、図１（Ｂ）は他側から見たスイッチ１００の外観斜視図を示している。図２は斜め上方から見たスイッチ１００の分解斜視図を示し、図３は斜め下方から見たスイッチ１００の分解斜視図を示している。
【００２０】
このリセット機能を備えたスイッチ１００は、ハウジング１１０に、操作子１２０と、回転操作体１３０と、電源スイッチ機構１４０と、信号スイッチ機構１５０と、復帰バネ１６０と、電源リセット機構１７０とを組込んで構成される。
【００２１】
ハウジング１１０は、上面を開放した箱形状を有し、その上部側に上述の構成部品１３０，１４０，１５０，１６０を組込む凹形状の空洞部１１１を有し、さらに底部側には電源リセット機構１７０を下方から組込む底部取付部１１２と端子仕切部１１３とを有している。そして、上部側に開口されている空洞部１１１への部品組込み後に、該空洞部１１１の開口面に対して平面的に閉鎖する操作子１２０を回動自在に取付けている。
【００２２】
さらに、このハウジング１１０の狭幅の両外側面にはスイッチ１００を嵌め込んで取り付けるために突出させた抜止取付用の弾性係止片１１４を有している。また、このハウジング１１０の広幅外側面の両側中央部には後述する操作子１２０を回動可能に支持するための枢支孔１１５を有している。
【００２３】
上述の操作子１２０は長方体の底面を開放した箱形状に設けられ、その上面を指先で押下するのに適した緩やかな凹状円弧面にした押下操作面１２１としている。さらに、操作子１２０の広幅外側面の両側中央部には支軸１２２を突設している。これらの支軸１２２は上述したハウジング１１０の枢支孔１１５に回動自由に枢支されて、両側の枢支部分を回動支点に操作子１２０はハウジング１１０にシーソー状に回動自由に取り付けられている。
【００２４】
さらに、この操作子１２０は底面の開放された内部空間に図３に示すように、前記両側の支軸１２２を結ぶ線上において、その一側に連結軸１２３を垂設し、他側に後述する回転操作体１３０の両側を枢支する枢支孔１２４を形成している。さらに、内部空間の一側には後述する復帰バネ規制片１３４を押下する押子１２５（図６参照）を垂設している。
【００２５】
上述の回転操作体１３０は、電源をオンオフ操作する操作部材として備えられ、枢支軸１３１と、第１スイッチ操作部１３２と、第２スイッチ操作部１３３と、復帰バネ規制片１３４とから構成される。
【００２６】
枢支軸１３１は、操作子１２０の両側内面に形成されている枢支孔１２４に回動自由に枢支されている。このため、回転操作体１３０は操作子１２０の内部で該操作子１２０の回動とは別々に回動自由に配置されている。
【００２７】
つまり、操作子１２０が回動して一方にオン操作されるとき、押子１２５により下向きに押下されて該操作子１２０から操作力を受け、他方にオフ操作されるとき、非接触で該操作子１２０から操作力を受けない構成となっている。
【００２８】
さらに、回転操作体１３０の両側の枢支軸１３１間を結ぶ下面両側には第１スイッチ操作部１３２と第２スイッチ操作部１３３を有している。第１スイッチ操作部１３２は後述する第１電源スイッチ機構１８０の上部に備えられる第１スプリング連結体１８１の上部を嵌合保持する。また、第２スイッチ操作部１３３は第２電源スイッチ機構１９０の上部に備えられる第２スプリング連結体１９１の上部を嵌合保持する。
【００２９】
さらに、回転操作体１３０には平板状の復帰バネ規制片１３４を略水平に突設しており、この復帰バネ規制片１３４の下面で上向きに付勢された後述する可動磁性片１７２を下向きに押下する構成としている。
【００３０】
電源スイッチ機構１４０は、第１電源スイッチ機構１８０と第２電源スイッチ機構１９０との２回路に対応して並列される２連のスイッチ構成を有している。
【００３１】
上述の第１電源スイッチ機構１８０は、第１スプリング連結体１８１と、可動片１８２と、固定端子１８３と、共通固定端子１８４とを備えて構成される。
【００３２】
第１スプリング連結体１８１は、細径のコイルスプリングを用いる。この第１スプリング連結体１８１は上端部を上述の第１スイッチ操作部１３２に嵌合させて連結している。下端部は後述する可動片１８２の上向きに突出する嵌合突起１８５を該コイルスプリングの孔内に差し込んで嵌合させることにより可動片１８２に抜止めして連結している。この第１スプリング連結体１８１は組み立てられることによって軸方向中央部を一方に若干屈曲させたくの字形となる。
【００３３】
上述の可動片１８２は導電性金属板をＬ形状に屈曲し、該Ｌ形の屈曲部分を回動支点部として後述する共通固定端子１８４に回動可能に支持されている。そして、可動片１８２の中間部に上述した嵌合突起１８５を切り起して形成し、Ｌ形水平片側の先端部に導電性の接点部１８６を固着している。
【００３４】
固定端子１８３は導電性金属板を逆Ｌ形状に屈曲し、その上面に導電性の接点部１８７を固着している。そして、該固定端子１８３の逆Ｌ形垂直片側をハウジング１１０の端子取付孔１１６に差し込んで取り付ける。この際、該接点部１８７はハウジング１１０内の底面に上向きに配置され、その上方の可動片１８２の接点部１８６と接離可能に対向させている。
【００３５】
同じく、共通固定端子１８４は導電性金属板を逆Ｌ形状に屈曲し、その上面に可動片支持部１８８を切り起こして形成し、ハウジング１１０の端子取付孔１１６に挿通させて取り付けられる。
【００３６】
ここで第１スプリング連結体１８１は、くの字形に第１スイッチ操作部１３２と可動片１８２との上下間に連結されており、第１スイッチ操作部１３２を形成している回転操作体１３０が回動することにより、その下方の回動軌跡上で第１スプリング連結体１８１を支持している上部での向きが一方と他方では異なり、その変位する角度差を生じさせることで下方の可動片１８２に対するスイッチ操作力を与えるようにしている。
【００３７】
また、第１スプリング連結体１８１を用いることにより、弾性に富み、軸方向だけでなく、その交差方向に対しても柔軟な屈曲性を有し、スイッチのように繰り返しオンオフさせるのに必要な弾性変形を容易に得ることができる。したがって、回転操作体１３０の回動に追従可能な柔軟性に富む第１スプリング連結体１８１を用いることにより、上述の角度差に容易に追従して下方の可動片１８２をオン方向とオフ方向に円滑に操作することができる。
【００３８】
第２電源スイッチ機構１９０は、前記第１電源スイッチ機構１８０と同構成を有している。さらに、１つの操作子１２０の操作力を第１電源スイッチ機構１８０と第２電源スイッチ機構１９０が同時に受ける並列配置構成である。このため、第２電源スイッチ機構１９０は第１電源スイッチ機構１８０と同機能を有して同時にオンオフ操作が実行される。このため、第１電源スイッチ機構１８０の各部品と同一の部品が配置される。よって、同一の部品であることから、第１スプリング連結体１９１と可動片１９２と固定端子１９３と、共通固定端子１９４と各接点部１９６，１９７を備えた第２電源スイッチ機構１９０の説明は既に第１電源スイッチ機構１８０で述べているので省略する。
【００３９】
信号スイッチ機構１５０は、第３スプリング連結体１５１と信号可動片１５２と信号共通固定端子１５３と信号固定端子１５４とから構成される。
【００４０】
第３スプリング連結体１５１は、前記した第１スプリング連結体１８１と同様に構成され、細径のコイルスプリングを用いる。この第３スプリング連結体１５１は上端部の該スプリング孔を操作子１２０の下面に垂設されている連結軸１２３に嵌合させて連結し、下端部の該スプリング孔を後述する信号可動片１５２の上端部に上向きに突出されている嵌合突起１５５に嵌合させて信号可動片１５２に連結している。この場合も、第３スプリング連結体１５１は組み立てられることによって軸方向中央部を一方に若干屈曲させたくの字形に構成される。
【００４１】
上述の信号可動片１５２は導電性金属板をＬ形状に屈曲し、そのＬ形の屈曲部分を回動支点部として後述する信号共通固定端子１５３に回動可能に支持されている。そして、信号可動片１５２の中間部に上述した嵌合突起１５５を有し、Ｌ形水平片側の先端を接点部分としている。なお、この信号スイッチ機構１５０の構成に際しては、信号用の微弱電流を流すため電源スイッチ機構１３０とは異なり、大きな接点部は要しない。
【００４２】
信号共通固定端子１５３は導電性金属板を逆Ｌ形状に屈曲し、その上面に可動片支持部１５６を切り起こして形成し、ハウジング１１０の端子取付孔１１７に挿通させて取り付けられる。
【００４３】
同じく、信号固定端子１５４は導電性金属板を逆Ｌ形状に屈曲し、その上面が接点部分となりハウジング１１０の端子取付孔１１７に挿通させて取り付けられる。
【００４４】
これらの第１電源スイッチ機構１８０と第２電源スイッチ機構１９０とはハウジング１１０内において図４に示すように、第１仕切りプレート１１８により仕切られている。また、第２電源スイッチ機構１９０と信号スイッチ機構１５０とはハウジング１１０内において図４に示すように、第２仕切りプレート１１９により仕切られている。このように各スイッチ機構１８０，１９０，１５０はハウジング１１０の内壁と各仕切りプレート１１８，１１９とによって１つの区画されたスイッチ操作空間を確保している。
【００４５】
さらに、これらの仕切りプレート１１８，１１９は上面が操作子１２０の一方と他方での回動を規制するストッパ面となり、該操作子１２０の一方と対向する仕切りプレート１１８，１１９の上面にオンストッパ面１１８ａ，１１９ａを傾斜形成している。さらに、操作子１２０の他方と対向する仕切りプレート１１８，１１９の上面にオフストッパ面１１８ｂ，１１９ｂを傾斜形成している。
【００４６】
復帰バネ１６０は、コイルスプリングにより構成され、後述する電源リセット機構１７０に組込まれる。この復帰バネ１６０は通常、図６（Ａ）に示すように、伸長して回転操作体１３０及び操作子１２０を押し上げてオフ方向に回動させた状態にある。
【００４７】
上述の電源リセット機構１７０は、ソレノイド１７１と可動磁性片１７２と永久磁石１７３と固定磁性片（ヨーク）１７３ａとリセット信号入力端子１７４とソレノイドケース１７５とを備えて構成される。
【００４８】
ソレノイド１７１はコイルを巻回した内部に上下方向に開口する挿通部を備え、この挿通部に後述する可動磁性片１７２を上下方向に挿通可能に構成している。さらに、挿通した可動磁性片１７２の内端部側に、永久磁石１７３と固定磁性片１７３ａとリセット信号入力端子１７４とが備えられている。
【００４９】
上述の可動磁性片１７２はＴ字形を有し、このＴ字形部分の下部側が平行する２列でソレノイド１７１のコイル内部の挿通部に挿通自由に設けられ、この可動磁性片１７２のＴ字形部分とソレノイド１７１のコイル側上端面との上下間に図６に示すように、前記復帰バネ１６０を上下方向に圧縮させた状態に介在させて配置している。
【００５０】
そして、可動磁性片１７２が下向きの押下力を受けた場合に復帰バネ１６０の付勢力に抗して下動し、下端まで挿通されると、その下方に対向する直方体の永久磁石１７３とその永久磁石１７３を挟んで両側に配設されるＵ字形の固定磁性片１７３ａとにより可動磁性片１７２は吸着保持される。この吸着保持作用により電源オン状態が保持される。この電源オン状態でソレノイド１７１に対して磁気解除作用を与えると、その吸着を解除して電源オフする構成を有している。
【００５１】
図６において、上段に配置された（Ａ）（Ｃ）（Ｅ）は第１電源スイッチ機構１８０のオンオフ動作状態を示し、下段に配置された（Ｂ）（Ｄ）（Ｆ）は信号スイッチ機構１５０のオンオフ動作状態を示している。これらのうち、左側に配置された（Ａ）（Ｂ）はオフ状態を、中間部に配置された（Ｃ）（Ｄ）はオン状態を、右側に配置された（Ｅ）（Ｆ）は操作子のみオフされている状態を示している。
【００５２】
通常は、図４及び図６（Ａ）に示すように、第１電源スイッチ機構１８０では電源スイッチオフ状態で復帰バネ１６０が伸長し、この復帰バネ１６０に付勢された可動磁性片１７２の上端部が復帰バネ規制片１３４を押し上げ、さらに押子１２５を介して操作子１２０を押し上げてオフ位置に付勢支持した状態にある。このとき、回転操作体１３０はオフ方向に回転した状態にある。このオフ状態では第１スプリング連結体１８１が弓なりに屈曲し、可動片１８２はオフ方向に回動し、該可動片１８２の接点部１８６が固定端子１８３の接点部１８７と離間した電源オフ状態にある。
【００５３】
また、信号スイッチ機構１５０では、図５及び図６（Ｂ）に示すように、操作子１２０がオフ位置のとき、前記第１スプリング連結体１８１と逆向きに第３スプリング連結体１５１が弓なりに屈曲し、信号可動片１５２を信号固定端子１５４に接触させている。この信号スイッチ機構１５０では信号可動片１５２と信号固定端子１５４とが接触した導通状態をオフに設定し、離間した状態をオンに設定している。
【００５４】
このように構成されたスイッチ１００がオン操作された場合、図６（Ｃ）に示すように、操作子１２０がオン方向に押下されると、この操作子１２０の押子１２５が復帰バネ規制片１３４を押し下げ、さらに可動磁性片１７２を復帰バネ１６０の付勢力に抗して押し下げる。これにより、可動磁性片１７２は下動し、ソレノイド１７１のコイル内に挿通されて、その下方に対向する永久磁石１７３の磁気吸引作用を受けて吸着される。このとき、復帰バネ１６０は圧縮されているため、その圧縮状態のまま保持される。また、この操作子１２０をオン操作した際に第１電源スイッチ機構１８０の第１スプリング連結体１８１の軸方向中央部が逆向きに反り返り、その反力で可動片１８２が回動し、接点部１８６，１８７を接触させて電源をオンする。
【００５５】
なお、第２電源スイッチ機構１９０も第１電源スイッチ機構１８０の動きと同じ動きとなり、同期してオン操作される。
【００５６】
一方、第１電源スイッチ機構１８０及び第２電源スイッチ機構１９０と略同時に信号スイッチ機構１５０もオンする。この信号スイッチ機構１５０は、図６（Ｄ）に示すように、操作子１２０のオン方向の回動に伴って、前記第１スプリング連結体１８１と逆向きに第３スプリング連結体１５１が弓なりに反り返り、信号可動片１５２を信号固定端子１５４と離間させて信号スイッチ機構１５０をオンにする。
【００５７】
次に、このスイッチ１００をオフする際は、図６（Ｅ）に示すように、操作子１２０をオフ方向に押下操作する。このとき、操作子１２０はオフ方向に回動するが、第１電源スイッチ機構１８０側にあっては復帰バネ１６０の付勢力を受けないため操作子１２０のみの単独の回動、つまり空回りとなる。
【００５８】
したがって、回転操作体１３０は回動せず、該回転操作体１３０と一体の復帰バネ規制片１３４は可動磁性片１７２を押下した状態を保ち、電源スイッチ機構１４０は制御部からリセット信号が入力されるまでオン状態が保持される。
【００５９】
一方、信号スイッチ機構１５０側にあっては、図６（Ｆ）に示すように、操作子１２０のオフ方向の回動に伴って第３スプリング連結体１５１が弓なりに反り返って反転し、これに伴い信号可動片１５２は回動して再び信号固定端子１５４に接触する。このため、信号スイッチ機構１５０は操作子１２０の動きに伴ってオンオフ操作される。
【００６０】
この信号スイッチ機構１５０がオフされると、このオフ信号を受けた図示しない制御部からのリセット信号待ちとなる。そして、ハードディスクに記憶処理させる制御データの記憶処理が完結した時点で図６（Ｅ）の第１電源スイッチ機構１８０がオン状態から再び元の図６（Ａ）に示す電源オフ状態に戻る。
【００６１】
次に、このスイッチ１００を備えた電子機器７００のデータ処理動作を図７の制御ブロック図を参照して説明する。  
電子機器７００は、前記スイッチ１００がオンオフ操作可能な位置に配設され、内部にＣＰＵ７１０と、ＨＤＤ（ハードディスク）７２０と、ＲＡＭ７３０とが設けられている。
【００６２】
スイッチ１００の操作子１２０がオン操作されると、その操作力を受けて回動操作体１３０はオン方向に回動し、これに基づき電源スイッチ機構１４０は接点部１８６，１８７、１９６，１９７を接触させてスイッチ１００をオン状態とすることで電子機器７００の電源７４０をオンにする。このようにして電子機器７００が稼動されている状態では、ＣＰＵ７１０が電子機器７００の処理データをＲＡＭ７３０に記憶させている。
【００６３】
この電子機器７００の利用停止に際して利用者がスイッチ１００の操作子１２０をオフ方向に操作すると、スイッチ１００の信号スイッチ機構１５０から利用オフ信号がＣＰＵ７１０に入力される。これに基づいてＣＰＵ７１０はデータ処理が完結するまで電源オン状態を保持し、電源リセット機構１７０に電源オフ信号を出力させない。このとき、電源オン状態で、ＣＰＵ７１０はまずＲＡＭ７３０に記憶されているデータを読み出し、このデータを全てＨＤＤ７２０に移し替えて記憶させる。
【００６４】
このＨＤＤ７２０へのデータの移し替えが完結すると、ＣＰＵ７１０はデータの保護を優先し、確保できたことによりスイッチ１００の電源リセット機構１７０に対して電源オフ信号を出力する。これに基づいてスイッチ１００には永久磁石１７３の磁力より大きい電磁解除力がソレノイド１７１に与えられ、該ソレノイド１７１は永久磁石１７３及び固定磁性片１７３ａに吸着されていた可動磁性片１７２の規制を解除し、可動磁性片１７２は自由状態となり、復帰バネ１６０が伸長する付勢力を受けて可動磁性片１７２は回動操作体１３０を押し上げ、操作子１２０をオフ位置に回動させるとともに電源スイッチ機構１４０の接点部１８６，１８７、１９６，１９７を離間させてゃくできる。と、電源をオフさせる。このようにして、操作子１２０がオフ操作された後はＣＰＵ７１０がデータ処理の完結を確認したことに基づいて自動的に電源をオフする。
【００６５】
さらに、このスイッチ１００のリセット動作を図８のタイムチャートを参照して説明する。  
利用者が操作子１２０を操作していない待機状態では信号スイッチ機構１５０は微弱電流を通電させてオフ信号を出力している。これに対し、電源スイッチ機構１４０の第１電源スイッチ機構１８０及び第２電源スイッチ機構１９０は非通電のオフ状態を維持している。
【００６６】
その後、利用者が操作子１２０をオン操作すると、信号スイッチ機構１５０は接点部が離れ、非通電を検知してオンとなり、電源スイッチ機構１４０は接点部が接触して通電し、電源オンとなる。また、オン状態なので電源リセット機構１７０のソレノイド１７１は、該スイッチ１００が備えられている電子機器７００、例えば複写機やパーソナルコンピュータ等の制御部からリセット信号が入力されるまでオン状態を維持する。
【００６７】
スイッチ１００がオンされて電子機器が利用された後、利用者が電子機器７００の利用停止に伴ってスイッチ１００の操作子１２０をオフ操作すると、その時点で信号スイッチ機構１５０はオフされてオフ信号が出力される。このオフ出力を電子機器７００の制御部（ＣＰＵ）７１０が検出すると、それまでの処理データをハードディスクに記憶させる書き込みを実行する。
【００６８】
書き込みが完結すると、制御部からリセット信号が出力され、永久磁石１７３の吸着力より大きい電磁解除力がソレノイド１７１に与えられる。この解除に基づいて復帰バネ１６０は伸長し、この伸長した付勢力に基づいて電源スイッチ機構１４０に対する解除操作がなされる。さらに、これに連動して回転操作体１３０及び操作子１２０は元のオフ位置に戻る。
【００６９】
以上説明したように、操作子をオン操作すると、電源スイッチ機構はオンされる。その後、電源をオフ操作しても電源スイッチ機構は電源リセットの信号が入力されるまではオン状態を保つため直ちにオフしない。この間にハードディスクへ必要なデータが書き込まれ、データ処理が完結すると電源を自動的にオフする。
【００７０】
ことに、操作子を一度オフ操作した後は、復帰バネの付勢力を規制して操作子に復帰バネの付勢力が掛からなくなるため、操作子は空回りする。このため、オフ操作後に操作子を再度、オンオフ操作しても、その再オンオフ操作力は空回りして電源スイッチ機構の接点部に伝達されない。したがって、操作子を最初にオフ操作した後は、操作子をその後に不用意に再度オンオフ操作しても、何ら支障はない。さらに、このスイッチを電子機器に使用した場合は信頼性の高いデータ管理ができる。
【実施例２】
【００７１】
図面はリセット機能を備えたスイッチ２００を示している。図９（Ａ）は一側から見たスイッチ２００の外観斜視図を示し、図９（Ｂ）は他側から見たスイッチ２００の外観斜視図を示している。図１０は一側から見たスイッチ２００の分解斜視図を示し、図１１は他側から見たスイッチ２００の分解斜視図を示している。
【００７２】
このリセット機能を備えたスイッチ２００は、ハウジング２１０に、操作子２２０と、スライダ２３０と、電源スイッチ機構２４０と、信号スイッチ機構２５０と、復帰バネ２６０と、電源リセット機構２７０とを組込んで構成される。
【００７３】
ハウジング２１０は、上面を開放した箱形状を有し、その上部側に上述の構成部品２３０，２４０，２５０，２６０を組込む凹形状の空洞部２１１を有し、さらに底部側には下方を開放して電源リセット機構２７０を下方から組込む底部取付開口部２１２とソレノイドケース係止孔２１３とを有している。そして、上部側に開口されている空洞部２１１への部品組込み後に、該空洞部２１１の開口面に対して平面的に閉鎖する操作子２２０を回動自在に取付ける。
【００７４】
さらに、このハウジング２１０の狭幅の両外側面にはスイッチ２００を嵌め込んで取り付けるための抜止取付用の弾性係止片２１４を並列突出させている。また、このハウジング２１０の広幅外側面の両側中央部には後述する操作子２２０を回動可能に支持するための枢支孔２１５を有している。
【００７５】
上述の操作子２２０は長方体の底面を開放した箱形状に設けられ、その上面を指先で押下するのに適した緩やかな凹状円弧面にした押下操作面２２１としている。さらに、操作子２２０の広幅外側面の両側中央部には支軸２２２を突設している。これらの支軸２２２は上述したハウジング２１０の枢支孔２１５に回動自由に枢支されて、両側の枢支部分を回動支点に操作子２２０はハウジング２１０にシーソー状に回動自由に取り付けられている。
【００７６】
さらに、この操作子２２０は底面の開放された内部空間に図１２にも示すように、前記両側の支軸２２２を結ぶ線上において、その一側に広幅でＶ字形に突出した内部操作片２２３を垂設し、他側に狭幅でＶ字形に突出した信号内部操作片２２４を垂設している。
【００７７】
上述のスライダ２３０は、スライド操作に伴って電源をオンオフ操作する操作部材として備えられ、受圧部２３１と、復帰バネ収納部２３２と、スイッチ操作部２３３と、復帰バネ規制軸２３４と、第１仕切プレート２３５とから構成される。
【００７８】
受圧部２３１は横長の長方体状を有するスライダ２３０の上面中央部に形成される。この受圧部２３１はスライダ２３０の上面一側（図１０では右側）に形成されている凹状空間部の中央壁を受圧部２３１とし、ここに前記した内部操作片２２３の下端平面部を対向させて回動時に当接させる構成をとっている。
【００７９】
したがって、このスライダ２３０は操作子２２０が一方に回動して内部操作片２２３が該スライダ２３０を押したときスライドしてオン操作される。これに対し、操作子２２０が他方に回動してオフ操作されるとき、該スライダ２３０は操作力を受けない構成としている。
【００８０】
復帰バネ収納部２３２は、上述した受圧部２３１とは反対側（図１０では左側）となる位置のスライダ上面に形成される。この復帰バネ収納部２３２はスライド方向において、スライダ２３０の外端面より中央部の受圧部２３１までの間を中空形成したバネ挿通孔２３２ａを有する部分を復帰バネ収納部２３２としている。そして、この復帰バネ収納部２３２にコイルスプリング状の復帰バネ２６０を挿通させる。この復帰バネ２６０は外端がハウジング２１０の内壁面に対向し、内端がバネ挿通孔２３２ａの内端壁に対向して、これらの対向面間で該復帰バネ２６０が水平方向に圧縮された状態に支持されている。このため、スライダ２３０は復帰バネ２６０によりオフ方向（図１０では右側）に付勢されている。
【００８１】
スイッチ操作部２３３は、図１２に示すように、スライダ２３０のスライド方向の一側下面に突出した突出部を該スイッチ操作部２３３としている。このスイッチ操作部２３３は、内部操作片２２３の操作力を受けて該スライダ２３０が復帰バネ２６０の付勢力に抗してスライドしたときオン位置にスライドし、電源スイッチ機構２４０をオンさせる。一方、復帰バネ２６０の付勢力を受けてスライダ２３０がオフ位置にスライドしたとき前記電源スイッチ機構２４０をオフさせる構成としている。
【００８２】
復帰バネ規制軸２３４は前記スイッチ操作部２３３とは反対側の端部となるスライダ２３０の他側下端に垂設して構成される。この復帰バネ規制軸２３４は下端が後述する可動磁性片２７２と嵌合して、該可動磁性片２７２をスライド方向にスライドさせるようにしている。
【００８３】
前記スライダ２３０の下面に垂設される第１仕切プレート２３５は、スライダ２３０の下部で対向する後述する２組の並列する電源スイッチ機構２８０，２９０を区画するプレートである。
【００８４】
電源スイッチ機構２４０は、コンパクトな接点構造が得られる構成であればよく、例えば上下方向のストローク動作を小さくできるマイクロスイッチのようなスイッチ構造を用いるとよい。具体例として、第１電源スイッチ機構２８０と第２電源スイッチ機構２９０との２連に並列してオンオフする構成を有している。
【００８５】
上述の第１電源スイッチ機構２８０は、上下方向の配置空間を狭めるために可動片２８１と、接点付勢バネ２８２と、受け金２８３と、共通固定端子２８４と、固定端子２８５とを水平状態に配置して構成される。
【００８６】
上述の可動片２８１は導電性金属板で形成され、基端側を回動支点部として後述する共通固定端子２８４の支点片２８８に回動可能に支持されている。そして、先端部に導電性の接点部２８６を固着している。
【００８７】
接点付勢バネ２８２は、先端が可動片２８１の先端係合部に係合した状態で基端部が、共通固定端子２８４の上部に立ち上げた支点片２８８に係止させている。これにより、可動片２８１を上方(離間方向)に付勢している。
【００８８】
受け金２８３はＬ形状を有し、可動片２８１を支持した状態で上端部がスイッチ操作部２３３に対向可能な位置にあり、下端が基点となる支点片２８８に支持されている。
【００８９】
共通固定端子２８４は導電性金属板で逆Ｌ形状に形成され、その上部に立ち上げて形成した支点片２８８で可動片２８１と受け金２８３とを揺動許容して支持している。そして、下部が後述するソレノイドケースの端子取付孔に挿通させて取り付けられる。
【００９０】
同じく固定端子２８５は導電性金属板で逆Ｌ形状に形成され、その上面に導電性の接点部２８７を固着して逆Ｌ形の垂直片側を後述するソレノイドケースの端子取付孔２７８に挿通させて取り付け、該接点部２８７を可動片２８１の接点部２８６と対向させて配置している。
【００９１】
第２電源スイッチ機構２９０は、前記第１電源スイッチ機構２８０と同構成を有している。さらに、１つの操作子２２０の操作力を両スイッチ機構２８０，２９０が同時に受ける並列配置構成であり、同機能を実行する。このため、第２電源スイッチ機構２９０は同形状で同機能を有する可動片２９１と接点付勢バネ２９２と受け金２９３と共通固定端子２９４と固定端子２９５と各接点部２９６，２９７との各部品が第１電源スイッチ機構２８０の各部品と同様に配置して構成するため、第２電源スイッチ機構２９０の同じ説明は省略する。
【００９２】
信号スイッチ機構２５０は、図１３にも示すように、信号可動片２５１と信号共通固定端子２５２と信号固定端子２５３とから構成される。
【００９３】
上述の信号可動片２５１は導電性金属板をＣ形状に屈曲し、そのＣ形下部を回動支点部として後述する信号共通固定端子２５２に支持されている。そして、信号可動片２５１の上部に、上述した信号内部操作片２２４の下端部が当接し、さらにＣ形下部の水平片側を延設し、その先端を接点部分としている。なお、この信号スイッチ機構２５０の構成に際しては、信号用の微弱電流を流すため電源スイッチ機構２３０とは異なり、大きな接点部は要しない。
【００９４】
また、信号可動片２５１は板バネの弾力作用により容易に弾性変形して図１５（Ｂ）（Ｄ）（Ｆ）に示すように、操作子２２０の回動操作に連動して該信号可動片２５１は信号固定端子２５３と接離する。このため、操作子２２０のオンオフに連動して信号スイッチ機構２５０もオンオフする。
【００９５】
信号共通固定端子２５２は導電性金属板を逆Ｌ形状に屈曲し、その上面に可動片支持部２５４を切り起こして形成し、下部がハウジング２１０に保持されて取り付けられる。
【００９６】
同じく、信号固定端子２５３は導電性金属板を逆Ｌ形状に屈曲し、その上面が接点部分となり、下部がハウジング２１０に保持されて取り付けられる。
【００９７】
これらの第１電源スイッチ機構２８０と第２電源スイッチ機構２９０とはハウジング２１０内において図１２にも示すように、スライダ２３０の下面に垂設した第１仕切りプレート２３５により仕切られている。
【００９８】
また、第２電源スイッチ機構２９０と信号スイッチ機構２５０とはハウジング２１０内において図１３に示すように、第２仕切りプレート２１８により仕切られている。このように各スイッチ機構２８０，２９０，２５０はハウジング２１０の内壁と各仕切りプレート２３５，２１８とによって１つの区画されたスイッチ操作空間を確保している。
【００９９】
さらに、第２仕切りプレート２１８は上面が操作子２２０の一方と他方での回動を規制するストッパ面となり、該操作子２２０の一方と対向する第２仕切りプレート２１８の上面にオンストッパ面２１８ａを傾斜形成している。さらに、操作子２２０の他方と対向する第２仕切りプレート２１８の上面にオフストッパ面２１８ｂを傾斜形成している。
【０１００】
電源リセット機構２７０は、ソレノイド２７１と可動磁性片２７２と永久磁石２７３と固定磁性片２７３ａとリセット信号入力端子２７４とソレノイドケース２７５とを備えて構成される。
【０１０１】
ソレノイド２７１はコイルを巻回した内部に水平方向の挿通部を備え、この挿通部に後述する可動磁性片２７２を挿通可能に構成している。そのコイル内に挿通した可動磁性片２７２の内端部側に、永久磁石２７３と固定磁性片２７３ａとリセット信号入力端子２７４とが備えられている。
【０１０２】
上述の可動磁性片２７２は連結孔２７６を有し、この連結孔２７６にスライダ２３０の下部に垂設されている復帰バネ規制軸２３４の下部が挿通されて、スライダ２３０と可動磁性片２７２とが上下で同方向にスライドするように構成されている。そして、この可動磁性片２７２の内端側がソレノイド２７１のコイル内部の挿通部に挿通自由に設けられ、この可動磁性片２７２が一方にスライドしたとき前記復帰バネ２６０を水平方向に圧縮させた状態となり、他方へのスライドで復帰バネ２６０の規制が解除される。
【０１０３】
そして、可動磁性片２７２が復帰バネ規制軸２３４を介して復帰バネ２６０の付勢力に抗してスライドし、挿通部の内端まで挿通されると、そのスライド方向に対向する直方体の永久磁石２７３を挟んで両側に配設されるＵ字形の固定磁性片２７３ａにより吸着保持され、ソレノイド２７１の磁気解除作用で、その吸着を解除する構成を有している。
【０１０４】
ソレノイドケース２７５は、ハウジング２１０の下面開放部に対して下方から取り付けられるものであり、上面中央部にソレノイド２７１を水平に収納保持する凹部空間２７７を有し、その両側には端子挿通孔２７８を有している。また、底部には端子仕切部２７９を有し、両側面には係止突起２７５ａを有している。
そして、ハウジング２１０の下部に形成されているソレノイドケース係止孔２１３に係止突起２７５ａを係止させることによりハウジング２１０にソレノイドケース２７５が一体化して連結される。
【０１０５】
図１５において、上段に配置された（Ａ）（Ｃ）（Ｅ）は第１電源スイッチ機構２８０のオンオフ動作状態を示し、下段に配置された（Ｂ）（Ｄ）（Ｆ）は信号スイッチ機構２５０のオンオフ動作状態を示している。これらのうち、左側に配置された（Ａ）（Ｂ）はオフ状態を、中間部に配置された（Ｃ）（Ｄ）はオン状態を、右側に配置された（Ｅ）（Ｆ）は操作子のみオフされている状態を示している。
【０１０６】
通常は、図１４及び図１５（Ａ）に示すように、第１電源スイッチ機構２８０では電源スイッチオフ状態で復帰バネ２６０が伸長し、この復帰バネ２６０に付勢されたスライダ２３０と一体の可動磁性片２７２をオフ方向（図１５の右側）にスライドさせてオフ位置に付勢支持した状態にある。
【０１０７】
このとき、操作子２２０はスライダ２３０の受圧部に内部操作片２２３が押されて該操作子２２０はオフ位置に回動している。このオフ状態では、スライダ２３０のスイッチ操作部２３３が可動片２８１側を押下していないため、該可動片２８１の接点部２８６が固定端子２８３の接点部２８７と離間した電源オフ状態にある。
【０１０８】
また、信号スイッチ機構２５０では、図１３及び図１５（Ｂ）に示すように、操作子２２０がオフ位置のとき、操作子２２０の信号内部操作片２２４が信号可動片２５１を接触方向に押圧して信号固定端子２５３に接触させている。この信号スイッチ機構２５０では信号可動片２５１と信号固定端子２５３とが接触した導通状態をオフに設定し、離間した状態をオンに設定している。
【０１０９】
このように構成されたスイッチ２００がオン操作された場合、図１５（Ｃ）に示すように、操作子２２０がオン方向に押下されると、この操作子２２０の内部操作片２２３が復帰バネ２６０の付勢力に抗してスライダ２３０の受圧部２３１を反付勢方向に押す。さらに、復帰バネ規制軸２３４が可動磁性片２７２を復帰バネ２６０の付勢力に抗して同スライド方向に押すことになる。これにより、可動磁性片２７２はオン方向にスライドし、ソレノイド２７１のコイル内に挿通されて、その下方に対向する永久磁石２７３の磁気吸引作用を受けて吸着される。このとき、復帰バネ２６０は圧縮されているため、その圧縮状態のまま吸着作用を受けて保持される。スイッチ操作部２３３が受け金２８３を下向きに押し、これに基づいて可動片２８１が反転し、接点部２８６，２８７を接触させて電源をオンする。
【０１１０】
なお、第２電源スイッチ機構２９０も第１電源スイッチ機構２８０の動きと同期してオン操作される。
【０１１１】
一方、第１電源スイッチ機構２８０及び第２電源スイッチ機構２９０と略同時に信号スイッチ機構２５０もオンする。この信号スイッチ機構２５０は、図１５（Ｄ）に示すように、操作子２２０のオン方向の回動に伴って、信号可動片２５１が反転して該信号可動片２５１を信号固定端子２５３より離間させて信号スイッチ機構２５０をオンにする。
【０１１２】
次に、このスイッチ２００をオフする際は、図１５（Ｅ）に示すように、操作子２２０をオフ方向に押下操作する。このとき、操作子２２０はオフ方向に回動するが、第２電源スイッチ機構２８０側にあっては復帰バネ２６０の付勢力を受けないため操作子２２０のみの単独の回動、つまり空回りとなる。
【０１１３】
したがって、スライダ２３０はスライドせず、該スライダ２３０と一体の復帰バネ規制軸２３４は可動磁性片２７２を保持した状態を保ち、電源スイッチ機構２４０は電子機器の制御部からリセット信号が入力されるまでオン状態が保持される。
【０１１４】
一方、信号スイッチ機構２５０側にあっては、図１５（Ｆ）に示すように、操作子２２０のオフ方向の回動に伴って信号可動片２５１は支点部を基準に反転して再び信号固定端子２５３に接触する。このため、信号スイッチ機構２５０は操作子２２０の動きに伴ってオンオフ操作される。
【０１１５】
この信号スイッチ機構２５０がオフされると、このオフ信号を受けた制御部からのリセット信号待ちとなる。そして、ハードディスクに記憶処理させる制御データの記憶処理が完結した時点で図１５（Ｅ）の第１電源スイッチ機構１８０がオン状態から再び元の図１５（Ａ）に示す電源オフ状態に戻る。
【０１１６】
上述のように、操作子が操作される操作力をスライダを介して直線的な動きに変換して構成している。これにより、マイクロスイッチ等のコンパクトな構成のスイッチ機構の採用が可能になり、小型化を図ることができる。
【０１１７】
さらに、ハウジングの内部空間における操作子２２０側にスライダ２３０を配置し、該スライダ２３０よりさらに内方に電源スイッチ機構２４０と電源リセット機構２７０を積層状態に配置構成すると、スイッチの内部構造を積層方向に分けて構成できるため、積層方向に収納容量を増やして外部に露出する操作子側の表面積を小さくして構成することができる。
【０１１８】
このため、このスイッチをパネル外面に取り付ける際には、そのスイッチのパネル面に露出させる表面積を小さくして多数個のスイッチを効率よく取り付けることが可能になる。
【０１１９】
また、この実施例２の場合も操作子を一度オフ操作した後は、復帰バネの付勢力を規制して操作子に復帰バネの付勢力が掛からなくないように規制するため、操作子は空回りする。このため、その後に再度、操作子をオンオフ操作しても、その再オンオフ操作力は回動部分を支点に空回りし、操作子からの操作力は電源スイッチ機構の接点部に伝達されない。したがって、操作子を最初にオフ操作した後は、操作子をその後に再度、オンオフ操作しても、何ら支障は生じない。
【０１２０】
この発明の構成と、上述の一実施例の構成との対応において、
この発明の状態保持部材は、実施例の回動操作体１３０とスライダ２３０に対応し、
復帰バネ規制部は、復帰バネ規制片１３４と復帰バネ規制軸２３４に対応し、
保持手段は、永久磁石１７３，２７３に対応し、
解除手段は、ソレノイド１７１，２７１に対応するも、この発明は請求項に示される技術思想に基づいて応用することができ、上述の実施例の構成のみに限定されるものではない。
【符号の説明】
【０１２１】
１００，２００…スイッチ
１２０，２２０…操作子
１３０…回動操作体
１３２，１３３，２３３…スイッチ操作部
１３４…復帰バネ規制片
１４０，１８０，１９０，２４０，２８０，２９０…電源スイッチ機構
１６０，２６０…復帰バネ
１７１，２７１…ソレノイド
１７２，２７２…可動磁性片
１７３，２７３…永久磁石
２３０…スライダ
２３４…復帰バネ規制軸
【図１】
2012028285.tif 000003
【図２】
2012028285.tif 000004
【図３】
2012028285.tif 000005
【図４】
2012028285.tif 000006
【図５】
2012028285.tif 000007
【図６】
2012028285.tif 000008
【図７】
2012028285.tif 000009
【図８】
2012028285.tif 000010
【図９】
2012028285.tif 000011
【図１０】
2012028285.tif 000012
【図１１】
2012028285.tif 000013
【図１２】
2012028285.tif 000014
【図１３】
2012028285.tif 000015
【図１４】
2012028285.tif 000016
【図１５】
2012028285.tif 000017
【手続補正書】
【提出日】平成23年8月24日(2011.8.24)
【手続補正１】
【補正対象書類名】明細書
【補正対象項目名】００６４
【補正方法】変更
【補正の内容】
【００６４】
このＨＤＤ７２０へのデータの移し替えが完結すると、ＣＰＵ７１０はデータの保護を優先し、確保できたことによりスイッチ１００の電源リセット機構１７０に対して電源オフ信号を出力する。これに基づいてスイッチ１００には永久磁石１７３の磁力より大きい電磁解除力がソレノイド１７１に与えられ、該ソレノイド１７１は永久磁石１７３及び固定磁性片１７３ａに吸着されていた可動磁性片１７２の規制を解除し、可動磁性片１７２は自由状態となり、復帰バネ１６０が伸長する付勢力を受けて可動磁性片１７２は回動操作体１３０を押し上げ、操作子１２０をオフ位置に回動させるとともに電源スイッチ機構１４０の接点部１８６，１８７、１９６，１９７を離間させ、電源をオフさせる。このようにして、操作子１２０がオフ操作された後はＣＰＵ７１０がデータ処理の完結を確認したことに基づいて自動的に電源をオフする。